(57)【特許請求の範囲】
【請求項１】
水槽の底部に取り付けられる排水栓部と、
離れた位置に取り付けられる開閉操作部とをレリーズで連結し、
上記排水栓部に昇降自在に備えられた栓体の支持軸に当接子を設け、
この当接子と係合する押圧子を上記レリーズの先端部に設けて、レリーズの摺動に栓体の昇降動作を追従させるようにした遠隔操作式の排水栓開閉装置において、
前記栓体の支持軸を上下に２分して、
栓体と一体の固定軸部と前記当接子を設けた調節軸部を形成し、
固定軸部と調節軸部のいずれか一方の軸部に設けた円筒部内に他方の軸部の先端部を嵌合して両軸部の嵌合深さを可変にすることにより、
支持軸の実質的な長さを長短に調整可能に備えるとともに、
上記円筒部内に嵌合する軸部の先端部に円周方向への拡開を自在にした弾性部を設け、
この弾性部を、上記固定軸部と調節軸部のいずれか一方の軸端部から挿入したロッドの先端によって上記円筒部内で拡開させて、排水栓部の設置高さに応じて調整した固定軸部と調節軸部との嵌合位置を固定するようにすると共に、
前記調節軸部に設ける当接子は、前記栓体の昇降リフトに対応するカム斜面を具え、
かつ、このカム斜面を、互いに適宜の間隔を置いて放射状をなす多数条の立て桟により形成して、
当接子全体を目皿形に構成することにより、前記排水栓部内の排水の通過を妨げないようにしたことを特徴とする排水栓開閉装置。
【請求項２】
前記固定軸部の下部に前記円筒部を設け、前記調節軸部の上端に前記弾性部を設けて、調節軸部の下端から前記ロッドに変わるねじをねじ込んで上記弾性部を円筒部内で拡開させて、固定軸部と調節軸部との嵌合位置を固定するようにしたことを特徴とする請求項１の排水栓開閉装置。
【請求項３】
前記円筒部内に嵌合する前記軸部に、内面に大径部と小径部を連続させた筒形の弾性体を用いて前記弾性部を具えさせ、大径部に嵌入させた前記ロッドの先端を小径部内に押し入れて拡開させて、固定軸部と調節軸部との嵌合位置を固定するようにしたことを特徴とする請求項１の排水栓開閉装置。
【請求項４】
前記円筒部を前記調節軸部に設け、この円筒部内に嵌合する固定軸部の下端に前記弾性部を設け、該固定軸部の上端から前記ロッドに変わるねじをねじ込んで上記弾性部を拡開させて、固定軸部と調節軸部との嵌合位置を固定するようにしたことを特徴とする請求項１の排水栓開閉装置。
【請求項５】
前記円筒部を前記固定軸部の下端に設け、この円筒部内に嵌入する前記調節軸部の上端に前記弾性体を設けるとともに、この調節軸部と前記ロッドの下端とに設けたねじ部の螺合により該ロッドを上記調節軸部内に嵌装し、該ロッドの先端で上記弾性部を拡開させて、固定軸部と調節軸部との嵌合位置を固定するようにしたことを特徴とする請求項１の排水栓開閉装置。
【請求項６】
前記レリーズの先端部は、前記排水栓部を装着するエルボの側壁を挿通して、その先端に前記押圧子を備え、この押圧子を前記当接子の側面から係合させることによりレリーズを折り曲げて使用することなく、前記支持軸および栓体をレリーズの摺動に追従させるように構成したことを特徴とする請求項１の排水栓開閉装置。
【発明の詳細な説明】
【０００１】
【発明の属する技術分野】
この発明は、レリーズ等の遠隔操作で栓体を開閉できるようにした浴槽あるいは洗面槽等の排水装置に使用される遠隔操作式の排水栓開閉装置に関し、排水栓部における栓体の支持軸の実質的な長さを長短に調節できるようにして、例えば水槽の厚さにより異なる排水口の設置高さの変化に対応できるようにしたことを特長とするものである。
【０００２】
【従来の技術】
一般にこの種の排水栓開閉装置は、開閉操作部から延長したレリーズの先端部をエルボの側壁に挿通し、内部でＬ字形に折り曲げ、排水栓部内に垂下する栓体の支持軸に接続して、レリーズの摺動に栓体の昇降を追従させて排水口を開閉するように構成されている。
【０００３】
上記従来の排水栓装置によれば、エルボ内に導入するレリーズの長さを排水栓部内に垂下している栓体の支持軸の高さに合わせることにより排水口の設置高さに対応させる調整操作がきわめて容易であるが、レリーズの折り曲げ使用による劣化が激しく座屈したり折損し易い欠点がある。
【０００４】
このような欠点を除去するために、栓体の支持軸にカム等の当接子を固定し、その側面からレリーズの先端部に設けた押圧子を係合させることにより、レリーズを折り曲げ使用することなく、栓体の開閉に相当するリフトを形成するようにしたものもあるが、配管によって一定に決まるエルボの設置位置及びレリーズの挿通位置と、設置する水槽の底部の厚さ等により変わる排水口までの高さの変化に応じて栓体の支持軸上の当接子とレリーズの先端部の押圧子との係合位置を調整することが困難であるという技術的な問題があった。
【０００５】
【発明が解決しようとする課題】
これらのことから、本発明が解決しようとする課題は、支持軸上の当接子とレリーズの先端部の押圧子を係合させる排水栓装置において、栓体の支持軸と当接子の部分を改良して、排水栓部の取付け位置の高低に合わせて支持軸上の当接子の取付け位置とレリーズの先端部の押圧子との係合位置との調整が容易にでき、かつ、調整位置での当接子の固定を容易にすることにある。
【０００６】
【課題を解決するための手段】
そこで本発明は、水槽の底部に取り付けられる排水栓部と、離れた位置に取り付けられる開閉操作部とをレリーズで連結し、上記排水栓部に昇降自在に備えられた栓体の支持軸に当接子を設け、この当接子と係合する押圧子を上記レリーズの先端部に設けて、レリーズの摺動に栓体の昇降動作を追従させるようにした遠隔操作式の排水栓開閉装置において、前記栓体の支持軸を上下に２分して、栓体と一体の固定軸部と前記当接子を設けた調節軸部を形成し、固定軸部と調節軸部のいずれか一方の軸部に設けた円筒部内に他方の軸部の先端部を嵌合して両軸部の嵌合深さを可変にすることにより、支持軸の実質的な長さを長短に調整可能に備えるとともに、上記円筒部内に嵌合する軸部の先端部に円周方向への拡開を自在にした弾性部を設け、この弾性部を、上記固定軸部と調節軸部のいずれか一方の軸端部から挿入したロッドの先端によって上記円筒部内で拡開させて、排水栓部の設置高さに応じて調整した固定軸部と調節軸部との嵌合位置を固定すると共に、前記調節軸部に設ける当接子は、前記栓体の昇降リフトに対応するカム斜面を具え、かつ、このカム斜面を、互いに適宜の間隔を置いて放射状をなす多数条の立て桟により形成して、当接子全体を目皿形に構成することにより、前記排水栓部内の排水の通過を妨げないようにしたことを特徴とする排水栓開閉装置を提供するものである。
【０００７】
上記のように構成した本発明排水栓開閉装置は、固定軸部と調節軸部との嵌合深さを加減することにより、押圧子と係合する当接子の位置を一定に保ちつつ、排水栓部の設置高さに合わせて栓体と一体の支持軸の長さを変えるように調節し、次いで固定軸部と調節軸部のいずれか一方の軸端部から挿入したロッドの先端によって上記円筒部内で弾性部を拡開させて、排水栓部の設置高さに応じて調整した固定軸部と調節軸部との嵌合位置を固定する。以上のような簡単な操作で、排水栓部の取付け位置の高低に応じた調整ができる。本発明は上記のようにして前記の課題を解決したものである。
【０００８】
本発明において、連結軸に固定する当接子を、栓体の昇降リフトに対応するカム斜面を具えて、かつ、互いに適宜の間隔を置いて放射状をなす多数条の立て桟により当接子全体を目皿形に形成してあるので、前記排水栓部内を流下する水が流れ易く、流れを阻害しないのでスムーズな排水ができる。
【０００９】
更に本発明において、前記レリーズの先端部を排水栓部が装着されるエルボの側壁に挿通して、その先端に押圧子を設け、この押圧子を支持軸上の当接子に側面から係合させるようにしたものは、狭いエルボ内でレリーズを折り曲げることなく栓体の支持軸に昇降動作を伝達でき、耐久性に富む遠隔操作式の排水栓開閉装置を提供できる利点がある。
【００１０】
【実施例】
以下に本発明の実施例を図面について詳述する。図１に示すように、本排水栓装置は、水槽１の底部の排水口１’に装着される排水栓部２と、水槽１の縁等離れた位置に取り付けられる開閉操作部３とを有する。
【００１１】
図１〜３に示す実施例１において、排水栓部２は、フランジ４’を排水口１’の口縁に掛止させて水槽１の裏面に配置されたエルボＥの上端に螺合する円筒形の排水栓金具４と、排水栓金具４に螺合してフランジ４’との間で排水口１’を緊締するワッシャー部材５と、フランジ４’に重ね合わされて排水口１’を開閉する栓体６および栓体６の裏面中心から一体に垂下されて、排水栓金具４の中央部に具えたガイド筒７を昇降自在に挿通する支持軸９とからなり、栓体６を昇降させる当接子８は支持軸９の下端に取り付けられている。
【００１２】
一方、開閉操作部３から延長されたレリーズ１０の先端部１０’は、エルボＥの側壁を挿通して、エルボＥ内に垂下する支持軸７の下部に備えた当接子８と側面から係合する位置に、レリーズ１０の摺動と一体に進退する押圧子１１を備えている。また、この実施例において、レリーズ１０の基端を接続している開閉操作部３には、押釦３’の１回の押圧操作毎に、レリーズ１０の摺動を介して栓体６に排水口１’の開閉を交互に生じさせるようにした従来公知のものを採用しているので各部についての詳細な説明は省略する。
【００１３】
実施例に示すように、支持軸９は、栓体と一体の固定軸部９’と、下端に当接子８を固定した調節軸部９”とに上下に２分されている。図１〜３に示す実施例１においては、固定軸部９’の下部に設けた円筒部１２内に調節軸部９”の上部を嵌合させ、両軸部９’，９”の嵌合深さを変えることにより、支持軸９の実質的な長さが長短に調節できるように備えられている。
【００１４】
上記調節軸部９”は、下端に開口する挿通孔１４を備えて、円筒部１２に同心円的に嵌合する中空軸で形成されていて、上端部からに適宜の深さにスリットを切り込んで形成した複数片の弾性部１３を有し、下端からねじ込んだねじ型のロッド１５の上端によって弾性部１３が円筒部１２内で円周方向に拡開し、内周面に緊締されることにより、調節軸部９”と固定軸部９’との嵌合位置が固定し、支持軸９の長さを調節位置に固定する。
【００１５】
なお、上記のようにして支持軸９の実質的な長さを長短に調節する固定軸部９’と調節軸部９”との嵌め合いと、調節位置での両軸部９’，９”の固定については、例えば実施例１とは逆に調節軸部９”側に形成した円筒部１２内に固定軸部９’を嵌合させ、固定軸部９’側に形成した弾性部１３を、固定軸部９’の上端からねじ込んだねじ型のロッド１５の下端で拡開させて内周面に緊締させるようにするなど様々な態様がある。
【００１６】
例えば図４に示す実施例２においては、調節軸部９”には、挿通孔１４の上端部に小径部１４’を設けその下方に連続させて大径部１４”を設けたゴムまたはその他の樹脂のような弾性体を用い、この挿通孔１４に嵌装した丸棒型のロッド１５の先端で小径部１４’を内側から拡開させてその外周を前記弾性部１３とする場合を示している。
【００１７】
図５に示す実施例３は、調節軸部９”側に形成した円筒部１２内に、挿通孔１４を具えた固定軸部９’を嵌合させ、固定軸部９’の下端に実施例１と同様に形成した弾性部１３を、同軸９’の上端からねじ込んだねじ式のロッド１５の下端で拡開させて、両軸部９’，９”の嵌め合いと調節位置での固定を行うようにする場合を示している。
【００１８】
更に図６に示す実施例４は、円筒部１２を備えた固定軸部９’に弾性部１３を備えた調節軸部９”を嵌合し、調節軸部９”に設けた挿通孔１４内に丸棒型のロッド１５を挿入し、該ロッド１５と調節軸部９”の下端とにそれぞれ設けたねじ部１６の螺合により、ロッド１５の嵌装位置を固定するとともに該ロッド１５の先端で上記弾性部１３を拡開させて、固定軸部９’と調節軸部９”との嵌合位置を固定する場合を示している。
【００１９】
上記のようにして支持軸９を長短に調節可能に備えたこの排水栓装置は、レリーズ側の押圧子１１が一定の位置で進退自在に備えられており、図２に示すように、栓体６の閉鎖高さが低い高さＨ0 の場合には、円筒部１２内における固定軸部９’と調節軸部９”の嵌合深さを深くして、水槽の設置高さに応じた長さに支持軸９を短く調整し、例えば水槽底部の肉厚などにより栓体６の閉鎖高さが高さＨ0 から高さＨ1 に変わる場合には、固定軸部９’と調節軸部９”との嵌合深さを浅くしてそれに対応できることを示している。
【００２０】
なお図中、Ｌ1 は、押圧子９の進退に伴って支持軸７および栓体６を昇降させる当接子８のリフトである。図３は、レリーズ１０の摺動と共に進退する押圧子１１と当接子８との係合によって、支持軸９および栓体６が昇降して、排水口１’が開閉される状態を説明するもので、同図（ａ）は閉鎖状態を、同図（ｂ）は開放状態を示すものである。
【００２１】
この実施例において、調節軸部９”に固定した当接子８は、押圧子１１との係合位置に栓体６の昇降リフトＬ1 に対応するカム斜面を具えた多数条の立て桟１７を互いに適宜の間隔を置いて放射状に配置することにより当接子８全体が目皿状に形成されており、それによって排水栓部２内を流下する水の流れを阻害せずにスムーズな排水ができるようにしている。
【００２２】
更にこの実施例において、レリーズ１０の先端部１０’は排水栓部２を装着したエルボＥの側壁を挿通して、その先端に設けた押圧子１１を支持軸９上の当接子８に側面から係合させるようにしているので、狭いエルボ内でのレリーズの折り曲げ使用をなくしてスムーズな栓体６への昇降動作の伝達ができ、遠隔操作式の排水栓開閉装置を耐久性に富むものにしている。
【００２３】
なお、本発明の実施に際しては、エルボＥを使用する排水管設備に限らず、直管型の排水栓装置にも適用できることはいうまもない。
【００２４】
【発明の効果】
前記のように構成し、上記のように用いられるようにした本発明によれば、レリーズの先端部の押圧子と支持軸上の当接子との係合位置を一定に保ったままで栓体と一体の支持軸の長さを調節して、排水栓部の取付け位置の高低に合わせる調整が容易にできる。また調整位置での当接子の固定も容易であるという効果がある。さらに、排水栓部内を流下する水が流れ易く、流れを阻害しないのでスムーズな排水ができる。
【図面の簡単な説明】
【図１】図１は本発明の実施例１をその使用状態とともに示す一部縦断立面図
【図２】図２は実施例１における栓体の支持軸の調整を説明する一部切欠拡大立面図
【図３】図３は押圧子の摺動と栓体の開閉を説明する一部切欠拡大立面図
【図４】図４（ａ）（ｂ）は調節軸部にゴムを使用した実施例２をその使用状態とともに示す一部切欠立面図
【図５】図５は実施例３の要部を示す一部切欠立面図
【図６】図６は実施例３の要部を示す一部切欠立面図である。
【符号の説明】
１ 水槽
１’ 排水口
２ 排水栓部
３ 開閉操作部
３’ 押釦
４ 排水栓金具
４’ フランジ
５ ワッシャー部材
Ｅ エルボ
６ 栓体
７ ガイド筒
８ 当接子
９ 支持軸
９’ 固定軸部
９” 調節軸部
１０ レリーズ
１０’ 先端部
１１ 押圧子
１２ 円筒部
１３ 弾性部
１４ 挿通孔
１５ ロッド
１６ ねじ部
１７ 立て桟
【図１】
0003889143.tif 000002
【図２】
0003889143.tif 000003
【図３】
0003889143.tif 000004
【図４】
0003889143.tif 000005
【図５】
0003889143.tif 000006
【図６】
0003889143.tif 000007